(57)【要約】【課題】  従来、ＣＡＤ等による画面上の図形を修正する編集装置において、図形を修正した時、修正箇所と修正内容の２つのデータの差分を抽出して画面表示および出力する手段を備えたものが示されているが、地図データのレイヤのようなデータ内に区分けがあるデータについての重ね合わせ表示する仕組みを備えてなく、地図データの更新に適用する場合、データを個別に比較しなければならずユーザの負担が大きいという課題を解消することを目的とし、新、旧データの差分を画面上で容易に行えるシステムを提供する。【解決手段】  第１、第２の記憶部から新、旧図形データを抽出し、差分図形データと差分属性データを生成し、該データを図形表示部に表示する。【選択図】        図１
2006178270.tif 000002
【特許請求の範囲】
【請求項１】
旧い空間データを収納する第１の記憶部と、新しい空間データを収納する第２の記憶部と、空間データを表示する空間データ表示部と、該空間データ表示部での空間データの表示を制御する表示制御部と、前記第１の記憶部に収納された旧い空間データと前記第２の記憶部に収納された新しい空間データとの間の差分データを生成する差分検出部と、操作者からの指示を入力する入力手段とを備え、前記差分検出部が空間データを表現する図形の差分である差分図形データと、図形として表現される以外の差分である差分属性データを生成し、前記差分図形データまたは前記差分属性データの何れか少なくとも一方を前記第１の記憶部または前記第２の記憶部の何れかに収納された空間データに重ね合わせて前記空間データ表示部に表示することを特徴とする空間データ編集装置。
【請求項２】
前記差分図形データまたは前記差分属性データの何れか少なくとも一方を表示する差分データ表示部を備えることを特徴とする請求項１に記載の空間データ編集装置。
【請求項３】
前記差分検出部が差分を検出する上で使用する条件である差分定義情報を前記入力手段からの入力に基づいて生成する差分データ定義部を備え、該差分データ定義部が生成した前記差分定義情報を使用して前記差分検出部が差分を検出することを特徴とする請求項１に記載の空間データ編集装置。
【請求項４】
前記差分図形データまたは前記差分属性データの何れか少なくとも一方の前記空間データ表示部での表示方法を前記入力手段からの入力に基づいて制御する差分データ表示制御部を備えたことを特徴とする請求項１に記載の空間データ編集装置。
【請求項５】
前記差分図形データまたは前記差分属性データの何れか少なくとも一方の前記差分データ表示部での表示方法を前記入力手段からの入力に基づいて制御する差分データ表示制御部を備えたことを特徴とする請求項２に記載の空間データ編集装置。
【請求項６】
前記差分データの一部または全部を前記第１の記憶部または前記第２の記憶部の何れかに収納された空間データに反映させて新たな空間データを作成する空間データ作成部と、該空間データ作成部が作成する空間データを収納する第３の記憶部とを備えることを特徴とする請求項１に記載の空間データ編集装置。
【請求項７】
前記空間データ作成部が新たに作成する空間データに反映させる前記差分データを前記入力手段からの入力に基づいて選択する差分データ選択部を備えることを特徴とする請求項６に記載の空間データ編集装置。
【発明の詳細な説明】
【技術分野】
【０００１】
この発明は、例えば自治体に管理責任のある道路、建物、河川等について、新廃設、増改設やあるいは市町村合併に伴う管理移管等を管理する自治体の保有する設備台帳において、前記対象の諸物件の管理が、ＧＩＳ  （Ｇｅｏｇｒａｐｈｉｃａｌ  Ｉｎｆｏｒｍａｔｉｏｎ  Ｓｙｓｔｅｍ）上の地図データを用いて行われており、そのデータの更新を行う際、新、旧の地図データの差分情報を地図画面上に表示し、ユーザがそれをＧＵＩ上でその差分を確認することを可能とする空間データ編集装置に関するものである。
【背景技術】
【０００２】
従来、地図データ更新を行う方法では、地図データの中身の数値をユーザが確認して必要なものについては数値の更新を実施していた。しかし、この方法では取り扱う対象物が膨大な量になった場合、ユーザの負担が大きくなってしまうという問題点があった。また、地図データは数値の羅列であるため、誤ってユーザが意図しないデータを書き換えてしまう問題点もある。
一方、上記のような手間がかからない方法としては、無条件に古い地図データを新しい地図データで上書きするという方法があるが、この場合では古いデータにあって新しいデータにないデータは全て消えてしまうという問題点があるため、ユーザは古いデータに含まれている地図データの一部を新しい地図データで用いたい場合には、結局ユーザが新しい地図データの数値を確認しながら作業しなければならないために、莫大な作業時間を必要とするという問題点もあった。
このような入力時間や目視確認作業の短縮化および人的作業誤りの誘発を防止することを目的とし、画面上の図形を修正する編集装置であって、ＣＡＤによる図形を修正した時、修正箇所と修正内容の２つのデータの差分を抽出して画面表示および出力する手段を備えて、修正内容を確認する技術が示されている（例えば、特許文献１）。
【０００３】
【特許文献１】特開平０７−１２９６４３号公報（図１）
【発明の開示】
【発明が解決しようとする課題】
【０００４】
しかしながら前記特許文献１に示されたものは、２つのデータの差分を抽出して画面表示する機能が開示されているが、地図データのレイヤのようなデータ内に明確な区分けがあるデータについて重ね合わせ表示する仕組みを備えていないため、前記特許文献１に示された構成をもってＧＩＳ上の地図データの更新に適用できない。また、図形のみを対象としているので、図形として表現できない属性データの差分の表示ができないという問題点があった。
【０００５】
この発明は上記のような課題を解決するためのものであり、新、旧の空間データから差分のデータを生成し、そのデータを空間画面上に従来のデータと重ね合わせて表示することで、差分を画面上で明示してユーザがその差分を画面上からＧＵＩにて確認可能とすること、またそれを基にＧＵＩからデータの取捨選択を容易に行うことを目的としている。
【課題を解決するための手段】
【０００６】
この発明に係る空間データ編集装置は、旧い空間データを収納する第１の記憶部と、新しい空間データを収納する第２の記憶部と、空間データを表示する空間データ表示部と、該空間データ表示部での空間データの表示を制御する表示制御部と、第１の記憶部に収納された旧い空間データと第２の記憶部に収納された新しい空間データとの間の差分データを生成する差分検出部と、操作者からの指示を入力する入力手段とを備え、差分検出部が空間データを表現する図形の差分である差分図形データと、図形として表現される以外の差分である差分属性データを生成し、差分図形データまたは前記差分属性データの何れか少なくとも一方を第１の記憶部または第２の記憶部の何れかに収納された空間データに重ね合わせて空間データ表示部に表示するものである。
【発明の効果】
【０００７】
この発明の空間データ編集装置は、差分検出部が差分図形データと、図形以外の差分である差分属性データを生成し、その何れか一方を第１の記憶部に収納された旧データまたは第２の記憶部に収納された新データの何れかに収納されている新、旧空間データに重ね合わせて空間データ表示部に表示するので、新、旧図形データの差分のみならず、図形以外の新、旧属性データが新、旧空間データに重ね合わせてデータ表示部に表示されるので、所望する新、旧データの差異の取捨選択が人手の負担なく容易になされるとともに、新、旧の図形上、属性上の差異が、簡便かつ明確に行えるという効果がある。
【発明を実施するための最良の形態】
【０００８】
実施の形態１．
以下、この発明の実施の形態１の空間データ編集装置を図に基づいて説明する。
図１は空間データ編集装置１００を示すブロック構成図であり、図において、旧い空間データが収納されている第１の記憶部１と、新しい空間データが収納されている第２の記憶部２と、前記第１、第２の記憶部１、２とから、空間データ更新に必要な新、旧両空間データを抽出し、それら新、旧の差である、空間データを表現する図形の差分である差分図形データおよび図形として表現される以外の差分である差分属性データ４を生成する差分検出部３と、前記差分図形データ、差分属性データ４を画面表示する空間データ表示部５と、この空間データ表示部５上で表示されている差分属性データをより詳細に表示する差分データ表示部６と、キーボード、マウス等の入力手段７と、前記空間データ表示部の制御を行う表示制御部８によって前記空間データ編集装置１００が構成されている。
【０００９】
次に、動作について説明する。
ここで、この実施の形態１および後述する実施の形態２〜７における空間データ編集装置の動作の説明は、自治体が管理する道路、建物、河川等に関わる管理台帳上の地図データを、旧い地図データから新しい地図データに更新する場合を例として取り上げる。上記例に従えば、この実施の形態１では、「道路と建物が新設された」というケースにおける地図データの更新に相当する。
ユーザである自治体職員は入力手段７を操作し、差分検出部３に第１、第２の記憶部１、２から新、旧２つの地図データＡ、Ｂを入力する。この新しい地図データには、新設された道路と建物の図形と、その経、緯度、管理担当市町村などの新しいデータも記載されている。
差分検出部３は、新、旧地図データを比較して、新、旧の差である空間データを表現する図形の差分の差分図形データ、図形として表現される以外の差分の差分属性データ４を生成する。生成された差分図形データ、差分属性データ４は、前記新、旧２つの地図データと共に空間データ表示部５に入力され表示が行われる。
図２（ａ）には第１の記憶部１より抽出した旧地図データＡが表示選択されている。
図２（ｂ）は、同様に図形表示部５上の画面であり、地図データＡと差分データが選択され、図２（ａ）上には表示されなかった新設の建物１３ａと道路１４ａが表示されている。この建物１３ａと道路１４ａが差分のデータの内の差分図形データに相当する。図２（ｂ）には、前記建物１３ａと道路１４ａの存在位置、例えば経度、緯度や管理担当の市町村名、管理期限等の差分属性データが表示されている。これらの差分属性データは選択的に表示されるものであり、表示制御部８の制御により入力したデータに対して表示、非表示の選択が行われる。
【００１０】
図２（ｂ）に示すように、各データ（地図データＡ，地図データＢ、差分データ）について表示色を、例えば赤、黄、青等に設定し、それらを重ね合わせて表示することで差分図形データ、この場合新しい建物１３ａと道路１４ａが画面上で明確に表示されている。
また、表示制御部８からの入力により、地図データＡ、Ｂおよび差分図形データ、差分属性データの全てを前記空間データ表示部５に表示可能である。さらに、空間データ表示部５に表示された図２（ｂ）に示す画面上から、より詳細な更新された差分属性データ（経度、緯度、新設に伴う管理担当市町村あるいは相当変更等）を確認したい場合には、入力手段７の操作によって、図３に示すように差分データ表示部６のダイアログ５１に編集表示することもできる。このとき、前記ダイアログ５１に示す差分データ中の地図データＡ、Ｂの項目Ａ、Ｂ、Ｃ、ＸＹＺは例えば経度、緯度を示し、ＸＸＸ、ＹＹＹは始、終点（管理すべき道路の始点、終点）を示す。
【００１１】
このようにこの実施の形態１では、新、旧図形データの図形上およびデータ上の差分の比較確認を空間データ表示部５および差分データ表示部６で、容易明確に行うことができるという効果がある。
【００１２】
実施の形態２．
実施の形態１では、「道路、建物が新設された」というケースでの地図データを更新することについて説明したが、この実施の形態２では、例えば河川に複数の橋があることを承知していて、この橋の担当区分の「管理情報」、例えばＡという橋はどこの市町村が管理しているのかというデータ確認を行う実施形態について説明する。
【００１３】
図４はこの実施の形態２の空間データ編集装置１００を示すブロック構成図である。図において、この実施の形態２の構成は前記した実施の形態１の図１に、差分データ定義部９と前記差分データ定義部９の生成する差分定義情報１０を追加したものであり、これ以外は前記図１と同様であるので、重複する要素の説明は省略する。
【００１４】
次に、動作について説明する。
前記差分データ定義部９は、差分検出部３が第１、第２の記憶部１、２から新、旧空間データＡ、Ｂを抽出するときに、差分として抽出するデータを定義するものであり、前記入力手段７の差分として抽出する指令の情報から差分定義情報１０を生成し、それを前記差分検出部３に入力する。差分検出部３では前記差分定義情報１０に基づいて、条件に合致する図形データのみを差分として抽出し差分図形データ４を生成する。
【００１５】
このように表示制御部８を操作するユーザの設定する差分定義情報、すなわち前述の橋を管理する市町村名のみを確認したいというときに入力される情報が作成される。この場合差分属性データのみであってもよく、また差分図形データと共に差分属性データを生成してもよい。このような簡素化された差分データを空間データ表示部５に表示を行うことができ、ユーザから見て差分とみなさないデータを容易に取り除くことが可能であり、ユーザは柔軟に差分情報を生成でき、空間データ表示部５上に表示するデータ量を抑制することで図形データおよび属性データ上の差分の比較確認を容易とするという効果がある。
【００１６】
実施の形態３．
前記した実施の形態２では、「橋の管理担当情報」のデータ確認を行うことについて説明したが、この実施の形態３では、予め承知している「新たに増えた管理情報」のみ、例えば年度が変わり、新年度から管理することになった橋についてのデータ確認を行う場合についての実施形態を説明する。
【００１７】
図５は、この実施の形態３の空間データ編集装置１００を示すブロック構成図である。図において、この実施の形態３は前記した実施の形態１の図１に差分データ表示制御部１１を加えて設けたものであり、これ以外は前記図１と同様であるので説明は省略する。
【００１８】
次に動作について説明する。
ユーザは表示制御部８は空間データ表示部５の画面表示する差分データを定義して差分データ表示制御部１１に設定し、その定義に基づき差分データ表示制御部１１は、空間データ表示部５を制御し、差分データつまり差分図形データ、差分属性データが選択されて表示される。
この実施の形態３を自治体の管理例で説明すると、画面表示するデータの定義は、「新たに増えた管理情報」つまり、前述したように例えば「年度が変わり、新年度から新たに担当することになった橋についての存在場所等の諸情報を」確認するものであり、このような条件をユーザが空間データ表示部５に入力するので、実施の形態２による「橋の管理担当」のデータでは、「新たに担当することになった橋」を確認する作業、時間が繁雑だったのに比較して、確認時間が大幅に短縮されると共に、容易に図形上および属性データ上の差分の比較、確認を行えるという効果がある。
【００１９】
実施の形態４．
前記した実施の形態３では、例として「新たに増えた管理情報」のデータ確認を行うことについて説明したが、この実施の形態４では、例として新たに増えた管理情報の中から例えば「橋の大規模改修を行い、その規模の大中小関係を区別した」データ確認を行う場合についての実施形態を説明する。
【００２０】
この実施の形態４は、前記した実施の形態３に示す図５の構成と同様であるが、前記差分データ表示制御部１１が差分図形データおよび差分属性データの内容を分析し、その結果によって表示する内容と表示方法を設定し、その設定に基づいて空間データ表示部５に表示するものであり、このことが実施の形態３と異なり、他の構成要素は同一であるので説明を省略する。
【００２１】
次に、動作について説明する。
実施の形態３と同様に、ユーザは表示制御部７は空間データ表示部５の画面表示する差分データを定義して差分データ表示制御部１１に設定し、その定義に基づき差分データ表示制御部１１は、空間データ表示部５を制御し差分データ、つまり差分図形データ、差分属性データが選択されて表示される。このとき前記したように差分データ表示制御部１１には差分データの内容から、表示方法を変えてデータ表示指令する機能を備えているので、図６に示すように、差分属性データが××以上は青の縦縞模様で、○○以上××未満は青の交差模様で、○○未満は青の斜め模様でもって差分データ表示部６に表示する。この表示は空間データ表示部５になされてもよい。
これを「橋の大規模改修」の例で説明すると、大規模改修が青の縦縞模様、中規模改修が青の交差模様、小規模改修が青の斜め模様で表示されることになる。
【００２２】
このようにこの実施の形態４によれば、特定された情報、この場合、橋の大規模改修の規模別のデータが表示されるので、効率的にデータの確認が行えるという効果がある。
また、差分データ表示制御部１１に、差分データ、特に差分属性データについての範囲設定や統計処理等の手法を実行する機能を加えることにより、より高度な差分データ分析結果を空間データ表示部５や差分データ表示部６に表示可能となる。
【００２３】
実施の形態５．
前記した実施の形態１〜４では、空間データ表示部５に差分データの表示を行うものであったが、この実施の形態５では、前記した実施の形態１の図１に示した空間データ編集装置１００に、図７に示すように空間データ生成部１２と、この空間データ生成部１２が生成した新規の空間データＣを記憶する第３の記憶部１３を加えて設けたものであり、これ以外は前記図１と同様であるので説明は省略する。
【００２４】
次に、動作について説明する。
この実施の形態５に係る空間データ編集装置１００は、実施の形態１〜４で説明したそれぞれの動作によって、空間データ表示部５に表示された差分のデータをマージし、新たな空間データＣを生成する機能を備えた空間データ生成部１２と組み合わせる。こうすることでユーザは空間データ表示部５で差分データを確認した後、それを空間データに反映させ、必要な新規な空間データＣを作成し、第３の記憶部１２に収納することが可能となる。ユーザはこの新規な空間データを第３の記憶部１２に収納し、それを最新の情報とすることができるので、データ更新の管理業務が効率化されるという効果がある。
【００２５】
実施の形態６．
実施の形態６による空間データ編集装置を図８に示す。この実施の形態６では、前記実施の形態５において、ユーザが必要とする新規な差分図形データが大量にあった場合に、それらを選択するための労力を低減することを目的としている。図８に示すように実施の形態５で示した図７に加えて空間データ表示部５につながる差分データ表示制御部１４が空間データ生成部１２の前段に設けられている。
これ以外は前記図７と同様であるので説明は省略する。
次に、動作について説明する。
前記差分データ表示制御部１４には、ユーザが新たに生成するデータに対して、差分の中から所定の条件を満たすデータのみを抽出して選択する機能を有している。前記実施の形態１〜４の動作によって空間データ表示部５に表示された差分図形データおよび差分属性データである差分データから、前記差分データ表示制御部１４は、所定の条件に基づいて差分図形データを抽出し、空間データ生成部１２によって前記差分図形データが生成されて、第３の記憶部１２に収納することが可能となる。
このようにこの実施の形態６では、大量な差分図形データの中から必要とするものを容易に選択し、記憶部に収納することができるという効果がある。
【００２６】
実施の形態７．
この実施の形態７は、図９に示すように前記実施の形態６の図８に示す構成に、前記した実施の形態３の図５に示す差分データ表示制御部１１を追加して設けて、これを第１の差分データ表示制御部１１とし、前記図８に示した差分データ表示制御部１１を第２の差分データ表示制御部１１ａとした構成を図９に示す。
このような空間データ編集装置１００では、前記実施の形態３と実施の形態６で示したような動作を行い、容易に図形上および属性上の差分の比較、確認を行え、大量の差分データの中から必要なものを容易に選択して新規の空間データを作成できる。なお、この実施の形態７では第２の差分データ表示制御部１１ａを設ける例を示したが、必ずしもこれに限らず、この機能を第１の差分データ表示制御部１１で行えるようにしてもよい。
【００２７】
なお、以上の実施の形態１〜７では、自治体の保有する管理台帳上の管理対象物件をＧＩＳ上での地図データで更新する例について説明したが、これに限らずＧＩＳを利用した空間データの更新に係るものであれば、この発明を適用可能であることは言うまでもない。
【産業上の利用可能性】
【００２８】
この発明の実施の形態１〜７は、ＧＩＳ上での地図データを用いた図形データの更新を行う空間データ編集装置に利用できる。
【図面の簡単な説明】
【００２９】
【図１】この発明の実施の形態１の空間データ編集装置のブロック図である。
【図２】この発明の実施の形態１による空間データ表示部の画面表示例を示す図である。
【図３】この発明の実施の形態１による差分データ表示部の画面表示例を示す図である。
【図４】この発明の実施の形態２の空間データ編集装置のブロック図である。
【図５】この発明の実施の形態３の空間データ編集装置のブロック図である。
【図６】この発明の実施の形態４による差分データ表示部の画面表示例を示す図である。
【図７】この発明の実施の形態５の空間データ編集装置のブロック図である。
【図８】この発明の実施の形態６の空間データ編集装置のブロック図である。
【図９】この発明の実施の形態７の空間データ編集装置のブロック図である。
【符号の説明】
【００３０】
１  第１の記憶部、２  第２の記憶部、３  差分検出部、４  差分データ、
５  空間データ表示部、６  差分データ表示部、７  入力手段、８  表示制御部、
９  差分データ定義部、１０  差分定義情報、１１  差分データ表示制御部、
１２  空間データ生成部、１３  第３の記憶部、１００  空間データ編集装置。
【図１】
2006178270.tif 000003
【図２】
2006178270.tif 000004
【図３】
2006178270.tif 000005
【図４】
2006178270.tif 000006
【図５】
2006178270.tif 000007
【図６】
2006178270.tif 000008
【図７】
2006178270.tif 000009
【図８】
2006178270.tif 000010
【図９】
2006178270.tif 000011